(57)【要約】      （修正有）【課題】一台でしかも独自で体の全ての目的箇所を押す、さする、擦る、たたく、乗る等多くの使用方法が用いられ、また多くの場所に於いて簡単に使用でき、しかも最高のあんま効果を発揮できるマッサージ具を提供する。【解決手段】半球体形状であって水平頂点部の先端に円盤状の永久磁石を埋め込こんだ二つのつぼ押し用半球体を表面に備え、裏面に滑り止め処理を施した長四角形状のベース板部に、円柱形状であって中央部のグリップ部に滑り止めシートを貼り、先端部には指圧型つぼ押し突起処理を施した柄部とで構成される。二つのつぼ押し用半球体の頂点水平部に直径２０ｍｍ×厚み５ｍｍの永久磁石を埋め込む。【選択図】図１
0003168048.tif 000002
【実用新案登録請求の範囲】
【請求項１】
ふたつの半円球突起部（こぶ）２、を具備したふたこぶ式つぼ押し具に、柄７、を取り付け多種のマッサージ機能、（Ａ〜Ｇ）に示す通り、一人で多機能なマッサージが出来ることを可能にした柄付きマッサージ具
【請求項２】
円筒形であって直径２０ｏｍｍ×厚み５ｍｍの強力マグネット１をふたつのつぼ押し用こぶ２、の頂点に埋め込み、制止して使用した場合でも血行促進効果を発揮するためのマグネット付き２体のつぼ押し用半球体（こぶ）２。
【請求項３】
半球体形であって直径３０ｍｍの指圧と同様の効果を発揮できる指圧型つぼ押し突起１０、を柄の先端に設け、グリップ部には手のひら刺激を目的とした、いぼ付き滑り止めシート９，を下マット８，の上に巻き使用目的を拡大する柄部７。
【請求項４】
符号Ａ、に示すとおり運転席やソファー、車いす事務机などの各種の椅子、および床に置いて使用した場合滑らないようにするためと、肌たたきＣ、素肌マッサージ効果を目的とし請求項１，の裏面にクッションマット５，と滑り止めシート６，からなる裏面使用を可能とした柄付きマッサージ具
【請求項５】
請求項１，の仕上がり本体重量を老人や病弱者のためのリハビリ及び軽い筋肉トレーニング効果を得る目的のため重量を２６０グラム前後に設定した柄付きマッサージ具
【請求項６】
高級感と癒し効果を増す目的のため全体に自身で開発した木目調塗装（特許公開２００５−１４４３９７・特開平１０−２１９１７９）の意匠を施し、表面にはさすり、擦り等の移動マッサージ効果を上げるため鏡面仕上げを施した柄付きマッサージ具
【請求項７】
こぶの頂点部１１を直径約１．５ｍｍの面積でほぼ水平の角度とし、背中などを叩いて使用した場合及び横臥姿勢、ドライブなどでの長時間使用の際も強い痛みを伴わない効果を得る、請求項２のつぼ押し用半球体突起（こぶ）２。
【考案の詳細な説明】
【技術分野】
【０００１】  本考案は、人体各部の、つぼや皮膚の表面を刺激して凝り、痛みを緩和する為に用いる多機能万能型柄付きマッサージ具に関するものである。
【背景技術】
【０００２】  従来のマッサージ具、つぼ押し具、いわゆる血行促進による凝りや痛みの緩和を目的とする器具は多くの種類があらゆる形態で提供されている。
【先行技術文献】
【非特許文献１】中山式産業（株）「中山式快癒器インターネット通販」
【考案の概要】
【考案が解決しようとする課題】
【０００３】  従来のふたこぶ式、要するに２個のつぼ押し用突起を備えたつぼ押し具は単に横臥して使用するのみの用途であって、例えば仰向けに寝て人体背部を刺激する為の横臥専用の器具であった。【０００４】  その他公知の多種の同様目的器具においては刺激箇所，あるいは刺激部位が限定されたものが多く全身を単独でマッサージすることが可能な万能機能を有する、要するに本考案に類似した型体の器具は見あたらない。
【課題を解決するための手段】
【０００５】  本考案は一人で全身マッサージができる、いわゆる万能型機能を有するマッサージ器具の提供であり、課題を解決するため、半円球の形状で形成された二つのつぼ押し用半球体２個の（こぶ）２を具備し、二つのこぶ頂点中央部の間隔を６０ｍｍにセットし、台座３に固定、さらにベース板４には直径３．５ｍｍ×長さ１２０ｍｍの楕円形で形成された片手で握りやすくした柄を装着することにより、叩く、挟む、さする、こする、加圧する等のマッサージに効果的な動作が片手で容易に操作でき、単独で全身マッサージを可能とする，更に自動車の座席、車いす、全ての固定椅子等の背部に挟み使用することが可能な多種の機能を備えた柄付きマッサージ具を提供することである、尚裏面と柄の部分には滑り止めを貼るとなおよい、また無数にある使用方法、使用箇所、効能等を開発するとさらによい。
【考案の効果】
【０００６】  本考案は上記の構成からなり２個のつぼ押し用突起１と用途を拡大する目的ため柄部７を設けることにより、一人で全身をくまなくマッサージすることが可能な、いわゆる万能型マッサージ具の優れた効果を以下に述べる。
（１）つぼ押し用こぶ２の頂点には直径２０ｍｍ×厚み５ｍｍの永久磁石１を埋め込み例えば肩、腰、首などにあてがい制止した状態で使用した場合、血行を促進する為の磁気効果を得る。
（２）柄の部分を片手で持ち自由に目的の箇所を刺激する事が出来るうえ、グリップ部には直径２ｍｍのいぼが無数に付いたシールを装着したため、滑り止めと手のひら刺激と、さらに柄じり部を指の形状突起状に加工したため指圧効果に優れる。
（３）こぶの頂点部を直径約１．５ｍｍの面積でほぼ水平の角度として、背中などを叩いて使用したり骨に当てた場合でも強い痛みを伴わない効果を得る。
（４）本体裏側にクッションシート５を貼り、その上に滑り止めシート６を装着したため、床や各種の椅子又はソファーなどで使用した場合の滑り止め効果と乾布マッサージや平手打ち効果、例えば昔三助がポンポンという音で背中を叩いた様な要するに血行促進効果をも得ることができる。
（５）本考案のマッサージ具で身体の各箇所、例えば背中などを叩いたりさすったりの持続動作を行う場合に於いて、病弱者のリハビリや高齢者の筋肉トレーニング等の相乗効果を得る目的のため完成時の本体自重を２６０ｇ前後に設定、要するにアレー効果を得ることができる。
（６）エコ及び環境保護の一環として本考案の磁石とシート類をのぞく本体全てを木材で加工する事を原則とし、素材の購入については木工加工関係業者から端材、廃材等を無料提供を受けるため材料費の節減をする事ができる。
【図面の簡単な説明】
【図１】各パーツを装着し全体の形状と要点のサイズを示した側面図
【図２】各パーツを装着し全体の形状と要点のサイズを示した平面図
【図３】クッションシートと滑り止めシートを貼った裏面図
【図４】全体の形状を示した斜視図
【図５】各パーツを示した構成図
【図６】本考案の使用状態を示す使用図
【考案を実施するための形態】
【０００７】本考案の実施の形態を図に基づいて説明する
【実施例１】図１〜４に示す本考案を実施するために使用する木工素材は全て木工所が製材時に発生する端材、廃棄材料を用い、半球体２は最初ロクロなどで球体加工し、半分に切断すると２個の突起が形成され、頂点の中央部に２０ｍｍ×５ｍｍの磁石１を埋め込んだものである。
【実施例２】
【０００８】  ２個の半球体を台座３の中央に双方の頂点距離を人体構造上最適な６０ｍｍに設定して木工ボンドで固定し更にベース板４に同様に接着する。
【実施例２】
【０００９】  ベース板４の裏側にはクッションマット５、滑り止めシート６を貼り、柄部７には柄じりに指圧用突起加工１０を施しさらに中央部に手のひら刺激効果を加味し下マット８及びいぼ付き滑り止めシート９を貼ることにより使用時の充実感を得られる。
【実施例３】
【００１０】  仕上げは高級感のある木目調塗装を施し表面は鏡面つや出しクリヤーを塗布、尚アレー効果も加味し、仕上がり時の総重量を２６０ｇ前後に設定する。
【産業上の利用可能性】
【符号の説明】  １．永久磁石
２．つぼ押し用半球体（こぶ）
３．台座
４．ベース板
５．クッションマット
６．滑り止めシート
７．柄部
８．下マット
９．いぼ付き滑り止めシート
１０．指圧型つぼ押し突起
１１，水平頂点部
Ａ．各種シート及び椅子の背で使用
Ｂ．表側のこぶで叩く
Ｃ．裏側の滑り止めで叩く
Ｄ．柄じりの突起で足裏マッサージ
Ｅ．背部の各箇所のつぼ押し
Ｆ．柄部で竹踏み効果
Ｇ．こぶで足うら踏み
Ｈ、グリップ部で手のひら刺激
Ｉ、さすり、こすり、加圧
【図１】
0003168048.tif 000003
【図２】
0003168048.tif 000004
【図３】
0003168048.tif 000005
【図４】
0003168048.tif 000006
【図５】
0003168048.tif 000007
【図６】
0003168048.tif 000008
【手続補正書】
【提出日】平成23年2月14日(2011.2.14)
【手続補正１】
【補正対象書類名】実用新案登録請求の範囲
【補正対象項目名】全文
【補正方法】変更
【補正の内容】
【実用新案登録請求の範囲】
【請求項１】
半球体形状であって水平頂点部の先端に円盤状の永久磁石を埋め込こんだ二つのつぼ押し用半球体を表面に備え、裏面に滑り止め処理を施した長四角形状のベース板部に、円柱形状であって中央部のグリップ部に滑り止めシートを貼り、先端部には指圧型つぼ押し突起処理を施した柄部とで構成された柄付きマッサージ具。
【請求項２】
前記二つのつぼ押し用半球体の頂点水平部に直径２０ｍｍ×厚み５ｍｍの永久磁石を埋め込んだことを特徴とする請求項１記載の柄付きマッサージ具。
【請求項３】
前記柄部は直径３０ｍｍの柄部の先端に指圧型つぼ押し突起を設け、グリップ部には下マットとその上にいぼ付き滑り止めシートを貼り構成された柄部を設けたことを特徴とする請求項１記載の柄付きマッサージ具。
【請求項４】
前記長四角形状のベース板部裏面にクッションマットと滑り止めシートを貼って構成された請求項１記載の柄付きマッサージ具。
【請求項５】
請求項１記載の柄付きマッサージ具全体の仕上がり総重量を２６０グラム前後に設定したことを特徴とする請求項１記載の柄付きマッサージ具。
【請求項６】
請求項１記載の柄付きマッサージ具において木製素材であるつぼ押し突起部と柄部とベース板との表面に鏡面仕上げを施したことを特徴とする請求項１記載の柄付きマッサージ具
【請求項７】
前記のつぼ押し用半球体の水平頂点部を直径約１５ｍｍの面積で水平に加工し、鏡面仕上げを施したことを特徴とする請求項６記載の柄付きマッサージ具。